(57)【要約】【課題】  特に不定形の荷物で、上部に軽量な荷物、下部に重い荷物を載置する場合に有効で、近距離輸送に特に有効な荷崩れ防止具を提供する。【解決手段】  パレット上に載置した荷物のほぼ全体を覆う大きさを有するネットと、該ネットの下部に挿入し、荷物の下部を締め付けるベルトと、下部の荷物の四隅を保護するコーナー保護具とからなることを特徴とする荷崩れ防止具。【選択図】図１
0003121822.tif 000002
【実用新案登録請求の範囲】
【請求項１】
パレット上に載置した荷物のほぼ全体を覆う大きさを有するネットと、該ネットの下部に挿入し、荷物の下部を締め付けるベルトと、下部の荷物の四隅を保護するコーナー保護具とからなる荷崩れ防止具において、ネットのネット本体の上面に荷物を中央側に締め付ける締付部を設けてなることを特徴とする荷崩れ防止具。
【請求項２】
締付部が、ゴムバンドであることを特徴とする請求項１記載の荷崩れ防止具。
【請求項３】
ネットとベルトとコーナー保護具を一体的にセットしてなることを特徴とする請求項１又は２記載の荷崩れ防止具。
【考案の詳細な説明】
【技術分野】
【０００１】  本考案は、主に不定形重量タイプの荷物を載置し、運搬するための荷崩れ防止具に関するものである。
【背景技術】
【０００２】  従来の技術として、パレットに積み重ねられた多数個の荷物の外周部に配置され、両端部で締付け固定することができる固定具と、この固定具に取付けられた前記パレットに積み重ねられた多数個の荷物の角部寄りの部位に位置する少なくとも４本以上の荷崩れ防止バーとからなることを特徴とするパレットの積載荷物の荷崩れ防止具がある。（特許文献１参照）【０００３】  また、他の従来技術として、上、下二枚のシート又はネットを重ねたものからなり、該二枚のシート又はネットの四隅に荷物を固定する固定具を有する構造からなる荷物包被シート及びと荷物の下に敷く下敷ネットからなり、該荷物包被シートと該下敷ネットとを固定具で連結する荷崩れ防止具がある。（特許文献２参照）
【特許文献１】  特開２００３−１０４３７３号公報
【特許文献２】  実開平６−４９３５９号公報
【考案の開示】
【考案が解決しようとする課題】
【０００４】  上記前者の場合は、基本的に同形の荷物を運搬する場合に使用するもので、不定形の荷物を運搬するには不向きである。【０００５】  また、上記後者は、上下２枚のネットにより構成されているもので、載置作業に時間がかかると共に、取り外しにも手間がかかるものである。【０００６】  本考案は、上記問題点を解決するためなされたもので、その目的は、特に不定形重量タイプの荷物を載置する場合に有効で、近距離輸送に特に有効な荷崩れ防止具を提供するものである。
【課題を解決するための手段】
【０００７】  本考案は、上記目的を達成するための手段として、パレット上に載置した荷物のほぼ全体を覆う大きさを有するネットと、該ネットの下部に挿入し、荷物の下部を締め付けるベルトと、下部の荷物の四隅を保護するコーナー保護具とからなり、ネットの上面に荷物を中央に締め付ける締付部を設けてなることを特徴とする。
【考案の効果】
【０００８】１）、ネットとベルトとコーナー保護具との構成により、特に不定形重量タイプの荷物を載置し、近距離輸送する場合に有効である。
２）、締付部を設けることにより、特に上部の荷物の荷崩れを防止することができる。
３）、締付部が、ゴムバンドを使用することにより、取り付け、取り外しが素人でも簡単にでき、確実に荷物を保持できる。
【考案の実施するための最良の形態】
【０００９】  荷崩れ防止具は、パレット上に載置した荷物のほぼ全体を覆う大きさのネット本体の上面に設けた開口部１ｂに、荷物を中央側に締め付ける放射状に伸び縮みする長さ調整可能（締付調整可能）なゴム本体１ａ１の各先端にフック片１ａ２を設けてなる締付部１Ａを設けたネット１と、該ネット１の下部全周に挿入し、荷物の下部を締め付けるベルト２と、下部の荷物の四隅を保護するコーナー保護具４から構成され、一体的にセットしてなるものである。
【００１０】  上記ベルト２は、構造的にベルト本体Ｂの一端Ｂ１に固定された連結孔２ａを設けてなる固定連結具２Ａと、ベルト本体Ｂの他端Ｂ２に移動可能な上記連結孔２ａに着脱自在に差し込む突部３ａを形成し、略ロ形の回動する締付枠３ｂ１に、水平方向にスライドするスライド軸３ｂ２を設けてなる締付具３とから構成されるもので、ベルト本体Ｂの他端部Ｂ２をスライド軸３ｂ２と締付枠３ｂ１の間Ａ１に通し、つづいて間Ａに通し、輪片３ｃを形成し、再度ベルトＢの他端部Ｂ２先端Ｓを間Ａに通し、先端Ｓを輪片３ｃの一片３ｃ１にベルト通し状に固着Ｋした止部３ｄにて移動自在に形成してなるもので、上記輪片３ｃに引張具（通称Ｄ環）３ｅを設けてなるものが好ましい。
【００１１】  上記コーナー保護具４は、平面Ｌ字形の保護具本体４ａの外側面２箇所にベルト挿通孔４ｂを設けてなるものである。
なお、ベルト２をベルト挿通孔に挿入し、一体的にセットしてなる。
【００１２】  つぎに、荷崩れ防止具の使用例について述べる。
まず、パレットＰ上に重い不定形の荷物Ｎ…を載置する。
つづいて、ネット２を上方より下方へ被せた後、各コーナーの下部の荷物Ｎにコーナー保護具４を当接し、ベルト２を締め付ける。
そして、最後に締付部１Ａのゴム本体１ａ１の長さ調整を行ない、締め付けて固定するものである。
【００１３】  上記ベルト２の締め付け方法は、まず、固定連結具２Ａの連結孔２ａに、締付具３の突部３ａを挿入し、連結する。
つぎに、引張具３ｅを水平方向（この例の場合、左方向）に引っ張ることにより、輪片３ｃは大きくなり、同時にスライド軸３ｂ２が移動（この例の場合、左方向）し、締付枠３ｂ１との間Ａが狭くなり、ベルトＢとベルトＢの他端Ｂ２が押圧されながら接触し、最終的にスライド軸３ｂ２にて締付挟持され固定する。
この時、ベルト本体Ｂの先端Ｓは止部３ｄにて係止している。
上記の状態で、ベルト本体Ｂは締め付けられ、荷物Ｎ…は移動しないように固定されている。
【００１４】  つぎに、ベルトＢを緩める方法について説明する。
引張具３ｅを持ち、垂直方向に引っ張ることにより、締付具３の締付枠３ｂ１を反転させ、スライド軸３ｂ２が上方向に移動すると同時にベルト本体Ｂが緩み、固定連結具２Ａと締付具３とを分離させ、荷物Ｎ…を取り出すことができるものである。
【００１５】  上記実施例におけるネットの材質や大きさは必要に応じて決めればよく、また、ベルトの構造も他の構造も一考である。
また、締付部として、一本のゴムバンドを開口部１ｂの周囲に通し、締付けるタイプのものも一考である。
【図面の簡単な説明】
【００１６】
【図１】  本考案の荷崩れ防止具のネットの平面図。
【図２】  本考案の荷崩れ防止具のベルトの平面図。
【図３】  本考案の荷崩れ防止具のベルトの正面図。
【図４】  本考案の荷崩れ防止具のコーナー保護具の正面図。
【図５】  本考案の荷崩れ防止具のコーナー保護具の側面図。
【図６】  本考案の荷崩れ防止具の平面図。
【図７】  本考案の荷崩れ防止具の使用状態の正面図。
【図８】  本考案の荷崩れ防止具のベルトの取り付けの平面図。
【図９】  本考案の荷崩れ防止具のベルトの取り外しの平面図。
【符号の説明】
【００１７】  １−−−ネット
１Ａ−−締付部
１ｂ−−開口部
２−−−ベルト
２ａ−−連結孔
２Ａ−−固定連結具
３−−−締付具
３ａ−−突部
３ｂ１−締付枠
３ｂ２−スライド軸
３ｃ−−輪片
３ｄ−−止部
３ｅ−−引張具
４−−−コーナー保護具
Ｐ−−−パレット
Ｎ−−−不定形の荷物
Ｂ−−−ベルト本体
Ａ−−−間
Ｓ−−−先端
【図１】
0003121822.tif 000003
【図２】
0003121822.tif 000004
【図３】
0003121822.tif 000005
【図４】
0003121822.tif 000006
【図５】
0003121822.tif 000007
【図６】
0003121822.tif 000008
【図７】
0003121822.tif 000009
【図８】
0003121822.tif 000010
【図９】
0003121822.tif 000011